【事件の表示】
　平成１０年特許願第　７２８５９号「ＣＡＤシステムおよび記憶媒体」拒絶査定不服審判事件〔平成１１年１０月　８日出願公開、特開平１１−２７２７２６〕について、次のとおり審決する。
【結　論】
　本件審判の請求は、成り立たない。
【理　由】
１．手続の経緯・本願発明
　本願は，平成１０年３月２０日の出願であって，平成１６年２月１６日付で拒絶査定がなされ，これに対して，同年３月２５日に拒絶査定に対する審判請求がなされるとともに，同年４月１９日付で手続補正がなされたものである。
　
２．平成１６年４月１９日付の手続補正についての補正却下の決定
［補正却下の決定の結論］
　　　平成１６年４月１９日付の手続補正を却下する。
［理由］
　本件補正により，特許請求の範囲を，
「【請求項１】　ベクトルデータで定義される図形を部品の図形として使用するＣＡＤシステムであって，
　指定対象の部品の図形を表示した後に部品を構成する詳細部品の位置または大きさに関する属性データを入力させる属性入力手段と，
　前記入力された属性データに基づいて，部品のベクトルデータを生成する生成手段と，
　前記生成手段で生成された部品の図形を定義したベクトルデータと，前記属性入力手段で入力された属性データとを記憶する部品情報記憶部と，
　前記部品情報記憶部に記憶された各部品の属性データ一覧を表示する一覧表示手段と，
　前記一覧表示手段が表示した各部品の属性データの何れかが選択されると，該当する属性データの変更画面を表示させ，該属性データの変更入力を行わせる変更入力手段と，
　前記変更入力手段に入力された属性データに基づき，部品のベクトルデータを生成すると共に，前記部品情報記憶部に記憶されている該当部品のベクトルデータ及び属性情報の記憶を行う変更手段と，
を備えたことを特徴とするＣＡＤシステム。
　【請求項２】　前記変更手段は，
保存の指示に応じて前記変更入力手段に入力された属性データに基づき，部品のベクトルデータを生成すると共に，前記部品情報記憶部に記憶されている該当部品のベクトルデータ及び属性情報の記憶を行う
事を特徴とする請求項１に記載のＣＡＤシステム。
　【請求項３】　コンピュータを，
　指定対象の部品の図形を表示した後に部品を構成する詳細部品の位置または大きさに関する属性データを入力させる属性入力手段と，
　前記入力された属性データに基づいて，部品のベクトルデータを生成する生成手段と，
　前記生成手段で生成された部品の図形を定義したベクトルデータと，前記属性入力手段で入力された属性データとを記憶する部品情報記憶部と，
　前記部品情報記憶部に記憶された各部品の属性データ一覧を表示する一覧表示手段と，
　前記一覧表示手段が表示した各部品の属性データの何れかが選択されると，該当する属性データの変更画面を表示させ，該属性データの変更入力を行わせる変更入力手段と，
　前記変更入力手段に入力された属性データに基づき，部品のベクトルデータを生成すると共に，前記部品情報記憶部に記憶されている該当部品のベクトルデータ及び属性情報の記憶を行う変更手段と，
して機能させるプログラムを格納した記録媒体。
　【請求項４】　前記コンピュータを前記変更手段として機能させた際，該変更手段は，保存の指示に応じて前記変更入力手段に入力された属性データに基づき，部品のベクトルデータを生成すると共に，前記部品情報記憶部に記憶されている該当部品のベクトルデータ及び属性情報の記憶を行う
事を特徴とする請求項３に記載のプログラムを格納した記録媒体。」
と補正しようとするものである。
　
　拒絶査定時の特許請求の範囲の記載（平成１５年１１月２５日付の手続補正書により補正された特許請求の範囲の記載）は，
「【請求項１】　ベクトルデータで定義される図形を部品の図形として使用するＣＡＤシステムであって，
　部品を構成する詳細部品の位置または大きさに関する属性データを入力させる属性入力手段と，
　前記入力された属性データに基づいて，部品のベクトルデータを生成する生成手段と，
　前記生成手段で生成された部品の図形を定義したベクトルデータと，前記属性入力手段で入力された属性データとを記憶する部品情報記憶部と，
　前記部品情報記憶部に記憶された各部品の属性データ一覧を表示する一覧表示手段と，
　前記一覧表示手段が表示した各部品の属性データの何れかが選択されると，該当する属性データ項目の変更画面を表示させ，該属性情報の変更入力を行わせる変更入力手段と，
　前期変更入力手段に入力された属性データに基づき，部品のベクトルデータを生成すると共に，前記部品情報記憶部に記憶されている該当部品のベクトルデータ及び属性情報の記憶を行う変更手段と，
を備えたことを特徴とするＣＡＤシステム。
　【請求項２】　前記コンピュータを，
　部品を構成する詳細部品の位置または大きさに関する属性データを入力させ部品情報を記憶する部品記憶手段へ記憶させる属性入力手段と，
　前記入力された属性データに基づいて，部品のベクトルデータを生成し，前記部品情報記憶手段へ記憶させる生成手段と，
　前記部品情報記憶部に記憶された各部品の属性データ一覧を表示する一覧表示手段と，
　前記一覧表示手段が表示した各部品の属性データの何れかが選択されると，該当する属性データ項目の変更画面を表示させ，該属性情報の変更入力を行わせる変更入力手段と，
　前期変更入力手段に入力された属性データに基づき，部品のベクトルデータを生成すると共に，前記部品情報記憶部に記憶されている該当部品のベクトルデータ及び属性情報の更新を行う変更手段と，
して機能させるプログラムを格納した記録媒体。
　【請求項３】　ベクトルデータで定義される図形を部品の図形として使用するＣＡＤシステムであって，
　指定対象の部品の図形を表示した後に部品を構成する詳細部品の位置または大きさに関する属性データを入力させる属性入力手段と，
　前記入力された属性データに基づいて，部品のベクトルデータを生成する生成手段と，
　前記生成手段で生成された部品の図形を定義したベクトルデータと，前記属性入力手段で入力された属性データとを記憶する部品情報記憶部と，
　前記部品情報記憶部に記憶された各部品の属性データ一覧を表示する一覧表示手段と，
　前記一覧表示手段が表示した各部品の属性データの何れかが選択されると，該当する属性データ項目の変更画面を表示させ，該属性情報の変更入力を行わせる変更入力手段と，
　前期変更入力手段に入力された属性データに基づき，部品のベクトルデータを生成すると共に，前記部品情報記憶部に記憶されている該当部品のベクトルデータ及び属性情報の記憶を行う変更手段と，
を備えたことを特徴とするＣＡＤシステム。
　【請求項４】　前記コンピュータを，
　指定対象の部品の図形を表示した後に部品を構成する詳細部品の位置または大きさに関する属性データを入力させ部品情報を記憶する部品記憶手段へ記憶させる属性入力手段と，
　前記入力された属性データに基づいて，部品のベクトルデータを生成し，前記部品情報記憶手段へ記憶させる生成手段と，
　前記部品情報記憶部に記憶された各部品の属性データ一覧を表示する一覧表示手段と，
　前記一覧表示手段が表示した各部品の属性データの何れかが選択されると，該当する属性データ項目の変更画面を表示させ，該属性情報の変更入力を行わせる変更入力手段と，
　前期変更入力手段に入力された属性データに基づき，部品のベクトルデータを生成すると共に，前記部品情報記憶部に記憶されている該当部品のベクトルデータ及び属性情報の更新を行う変更手段と，
して機能させるプログラムを格納した記録媒体。」
である。
　
　補正後の請求項について，補正前の請求項１，２を削除し，補正前の請求項３，４を誤記の訂正，明りょうでない記載の釈明を目的として補正して，補正後の請求項１，３とするものである。
　しかし，補正後の請求項２，４は，新たな請求項を設けるものであって，特許法第１７条の２第４項のいずれの目的にも該当しない。
　
　以上のとおり，本件の請求項２，４の補正は，特許法第１７条の２第４項第１〜４号のいずれにも該当しないので，本件補正は，特許法第１５９条第１項で準用する特許法第５３条第１項の規定により却下されるべきものである。
　
３．本願発明について
（１）本願発明
　平成１６年４月１９日付の手続補正は上記のとおり却下されたので，本願の請求項１に係る発明（以下，同項記載の発明を「本願発明」という。）は，平成１５年１１月２５日付手続補正書の特許請求の範囲の請求項１に記載された事項により特定される，以下のとおりのものである。
「【請求項１】　ベクトルデータで定義される図形を部品の図形として使用するＣＡＤシステムであって，
　部品を構成する詳細部品の位置または大きさに関する属性データを入力させる属性入力手段と，
　前記入力された属性データに基づいて，部品のベクトルデータを生成する生成手段と，
　前記生成手段で生成された部品の図形を定義したベクトルデータと，前記属性入力手段で入力された属性データとを記憶する部品情報記憶部と，
　前記部品情報記憶部に記憶された各部品の属性データ一覧を表示する一覧表示手段と，
　前記一覧表示手段が表示した各部品の属性データの何れかが選択されると，該当する属性データ項目の変更画面を表示させ，該属性情報の変更入力を行わせる変更入力手段と，
　前期変更入力手段に入力された属性データに基づき，部品のベクトルデータを生成すると共に，前記部品情報記憶部に記憶されている該当部品のベクトルデータ及び属性情報の記憶を行う変更手段と，
を備えたことを特徴とするＣＡＤシステム。」
（なお，「
前期
前記
　
（２）引用例
（２−１）特開平４−２７３５７９号公報
　拒絶査定の拒絶の理由に引用された特開平４−２７３５７９号公報（以下，「引用例１」という。）には，図面とともに，次の事項が記載されている。
　（ａ）「【請求項１】部品情報を格納したライブラリから部品ピンのくり返し状態等をル−ル化する付与ル−ル生成手段と，該付与ル−ル生成手段により部品情報をル−ル化して部品一覧フアイルに書き出す部品一覧フアイル作成手段と，部品一覧フアイルの内容をメモリテ−ブルへ格納する部品情報読込手段と，メモリテ−ブルの内容をデイスプレイなどの出力機器に表示する部品情報表示手段と，修正したい部品の指示及び新部品情報生成の指示をキ−入力装置等よりうける部品情報選択手段と，部品情報を加工して新部品生成のための情報を作成する部品情報修正手段と，部品ピンの発生方法等を示すル−ルから１ピンずつピン情報を生成する付与ル−ル展開手段と，該付与ル−ル展開手段によりライブラリを更新するための新部品登録フアイルへ新しい部品情報を出力する新部品情報生成手段とを有する部品ライブラリ流用設計方式。」（引用例１の２頁１欄２〜１７行）
　（ｂ）「【従来の技術】従来，この種の部品ライブラリ流用方式は，人手あるいはインタラクテイブシステムにより新しく設計する部品に近似する部品を検索して，ピン位置の修正，ピンの追加，ピン名のつけかえなどを行う必要があつた。（例えば「Ｃ言語によるパソコンＣＡＤ−ＣＧ」工業調査会Ｓ６１．３．３０発行Ｐ１５１図形の編集）。」（引用例１の２頁１欄２５〜３１行）
　（ｃ）「【０００７】図１は本発明の一実施例のブロツク図である。図１において，部品一覧フアイル作成手段１はＰＷＢ配線基板に搭載される部品の定義情報を格納したライブラリ１１から以下に示す方法で部品一覧フアイル１２を作成する。
【０００８】ライブラリ１１は配置，配線を行うＣＡＤシステムへの入出力フアイルとなる関係からどのように部品情報が記述されているかはシステムによりまちまちである。しかし，どのようなライブラリ１１であつても部品一覧フアイル作成手段１をユ−ザ−が使用するライブラリに応じて設定し直せるようにすることが可能であるので本発明の汎用性をそこなうものとならないことは明らかである。
【０００９】部品一覧フアイル１２は例えば図２のようにライブラリ１１に格納されているそれぞれの部品の部品名，当該部品が有するピンの個数，ピンの並び方（１配列，２配列，４配列などがある），ピン名の付与ル−ル，ピン名の付与方向，電源／グランドピンの位置，一番最初に設定されるピンの位置とピンの発生間隔といつた情報が格納される。
【００１０】これらの情報を生成するために部品内の全てのピンのピン名及びピン座標をメモリテ−ブルに記憶したあと，付与ル−ル生成手段８に制御をわたす。付与ル−ル生成手段８ではまずピン名をキ−にメモリテ−ブルを昇順ソ−トする。
【００１１】次にソ−トした結果のピン名の順序からピン名の変化の規則性を調べる。例えば図３にあげたピン情報Ａ０１〜Ａ０８は頭２文字が変化せず，３文字目が１から８まで加算されているのでＡ０［１−８］という規則性があることがわかる。ちなみにくり返し規則を表現するル−ルにはいろいろな表現方法があるが，ここではＵＮＩＸやＭＳ−ＤＯＳというオペレ−テイングシステムで一般的に利用されている正規表現というル−ルに従つて説明する。（［　　］かつこは，かつこ内の文字が変化することを意味し，「ａ−ｂ」はａという文字からｂという文字までの文字が順次発生されることを表わす。）次にソ−トした結果のピン座標に注目し，Ｘ又はＹ座標のいずれかが全て同一の座標からピンは１配列，Ｘ，Ｙ座標のいずれかが２種の座標で表現されるときは２配列，Ｘ，Ｙ座標が共に２種の座標で表現されるときは４配列と判定できることによりピンの並び方を求めることができる。
【００１２】次に２配列部品の場合のピン名の付与方向については，図３を例にあげるとＡ０１とＡ０２を比べた場合Ｘ方向へ増加していることがわかり，順次Ａ０４までＸ方向が増加したあとＡ０５でＹ方向へ増加し，Ａ０６以降でＸ方向に減少していることが容易に判定できるので反時計方向であることがわかる。このときにＡ０１とＡ０２の座標の差分を元に配列方向を求めることができる。ピン名の付与方向を調べるときに，２ピン間のＸ方向，Ｙ方向距離を求めればピンの発生間隔もわかる。
【００１３】以上，本実施例は２配列部品を例に説明したが他の配列部品についても若干の手直しで適用できる。なお，本発明はこの処理手順による一実施例に制約されるものではない。
【００１４】付与ル−ル生成手段８の処理が完了したら部品一覧フアイル作成手段１は記憶していた全ピンの情報を消去し，部品情報読込手段２へ制御をわたす。
【００１５】部品情報読込手段２は部品一覧フアイル１２を読み込み，メモリテ−ブルに部品情報を全て格納する。部品情報指示手段３はメモリテ−ブルの内容をデイスプレイ２１等の出力装置に表示し，ユ−ザ−にどのような部品があるかを通知する。部品情報選択手段４は部品情報表示手段３により表示した部品のうち流用したい部品の指示，あるいは部品情報の修正終了に関する指示をキ−入力装置２２などの入力装置により内部変数にとりこむ。
【００１６】選択終了判定手段５は部品情報選択手段４によりセツトされた内部変数が終了指示か否かを判定し，終了指示であれば新部品情報生成手段７へ行く。終了指示でなければ部品情報修正手段６へ行く。部品情報修正手段６は部品情報選択手段４によりセツトされた内部変数が示す部品に対して，部品情報の修正すべき項目と新しい項目内容をキ−入力装置２２などの入力装置により決定し，メモリテ−ブルの内容を更新する。新部品情報生成手段７は，ユ−ザ−の使用するライブラリ１１に新しい部品を登録するための新部品登録フアイル１３を出力するので，部品一覧フアイル作成手段１と同様にライブラリ１１の種類によつて出力フオ−マツトが異なるが，複数個の新部品情報生成手段７を用意することで汎用性をそこなうことはない。新部品登録フアイル１３には付与ル−ル生成手段８と逆の動作を行う付与ル−ル展開手段９により部品内のピン情報を１ピンずつライブラリ１１へ登録できるフオ−マツトに変換された部品情報が格納される。
【００１７】図２の部品Ａのピン個数と付与ル−ルを部品情報修正手段６によりピン個数を１０，付与ル−ルをＡ［０１−１０］とした場合の付与ル−ル展開手段９の動作の一例を説明する。
【００１８】まず２配列部品であるのでＸ＝２０，Ｙ＝０の位置からピン個数の１／２である５ピン分を配列方向がＸ方向であるのでＸ方向へ２０ずつ生成する。次に発生した５ピンに対して付与ル−ルＡ［０１−１０］からＡ０１，Ａ０２，Ａ０３，Ａ０４，Ａ０５を順次定義する。
【００１９】次にＹ間隔５０だけ移動し，Ｘ＝２０，Ｙ＝０の位置から残りの５ピンを生成する。この５ピンはピン名付与方向が反時計方向であるので付与ル−ルＡ［０１−１０］から得られる残りのＡ０６，Ａ０７，Ａ０８，Ａ０９，Ａ１０を逆方向にＡ１０，Ａ０９，Ａ０８，Ａ０７，Ａ０６と定義する。
【００２０】以上の処理で図４のような新部品情報が生成される。本発明の部品ライブラリ流用設計方式は独立したプログラムで実現してもよいし，インタラクテイブシステム等に１つのコマンドとして組み込むこともできる。」（引用例１の２頁２欄１３行〜３頁４欄１９行）
　（ｄ）「【発明の効果】以上説明したように本発明は，部品ピンのくり返し状態をル−ル化することにより１部品あたりの情報を圧縮することができるため，１部品を１行ずつ表示することにより流用したい部品が容易に求まるという効果がある。また，本発明は部品ピンの定義をル−ルで定義するだけでル−ルに従つて電子計算機が新しいピンの位置やピン名の付与などを行うため，わずかな修正工数で品質の高い部品を生成できるという効果がある。」（引用例１の３頁４欄２１〜２８行）
が記載されている。
　
　これらの記載によれば，引用例１には，
「部品情報を格納したライブラリ１１から部品ピンのくり返し状態等をル−ル化する付与ル−ル生成手段８と，該付与ル−ル生成手段８により部品情報をル−ル化して部品一覧フアイルに書き出す部品一覧フアイル作成手段１と，部品一覧フアイルの内容をメモリテ−ブルへ格納する部品情報読込手段２と，メモリテ−ブルの内容をデイスプレイ２１などの出力機器に表示する部品情報表示手段３と，修正したい部品の指示及び新部品情報生成の指示をキ−入力装置等よりうける部品情報選択手段４と，部品情報を加工して新部品生成のための情報を作成する部品情報修正手段６と，部品ピンの発生方法等を示すル−ルから１ピンずつピン情報を生成する付与ル−ル展開手段９と，該付与ル−ル展開手段９によりライブラリを更新するための新部品登録フアイル１３へ新しい部品情報を出力する新部品情報生成手段７とを有する部品ライブラリ流用設計方式において，
　部品一覧フアイル１２は例えばライブラリ１１に格納されているそれぞれの部品の部品名，当該部品が有するピンの個数，ピンの並び方（１配列，２配列，４配列などがある），ピン名の付与ル−ル，ピン名の付与方向，電源／グランドピンの位置，一番最初に設定されるピンの位置とピンの発生間隔といつた情報が格納されており，
　部品情報読込手段２は部品一覧フアイル１２を読み込み，メモリテ−ブルに部品情報を全て格納し，部品情報指示手段３はメモリテ−ブルの内容をデイスプレイ２１等の出力装置に表示し，ユ−ザ−にどのような部品があるかを通知し，部品情報選択手段４は部品情報表示手段３により表示した部品のうち流用したい部品の指示，あるいは部品情報の修正終了に関する指示をキ−入力装置２２などの入力装置により内部変数にとりこみ，選択終了判定手段５は部品情報選択手段４によりセツトされた内部変数が終了指示か否かを判定し，終了指示であれば新部品情報生成手段７へ行き，終了指示でなければ部品情報修正手段６へ行き，部品情報修正手段６は部品情報選択手段４によりセツトされた内部変数が示す部品に対して，部品情報の修正すべき項目と新しい項目内容をキ−入力装置２２などの入力装置により決定し，メモリテ−ブルの内容を更新し，新部品情報生成手段７は，ユ−ザ−の使用するライブラリ１１に新しい部品を登録するための新部品登録フアイル１３を出力するのであり，新部品登録フアイル１３には付与ル−ル生成手段８と逆の動作を行う付与ル−ル展開手段９により部品内のピン情報を１ピンずつライブラリ１１へ登録できるフオ−マツトに変換された部品情報が格納されており，
　このようにすることにより，例えば，部品Ａのピン個数と付与ル−ルを部品情報修正手段６によりピン個数を８から１０に，付与ル−ルをＡ０［１−８］からＡ［０１−１０］とした場合に，新部品情報が生成することができることを特徴とする部品ライブラリ流用設計方式。」
との発明が開示されていると認めることができる。
　
（２−２）
　同様に，拒絶査定の拒絶の理由に引用された特開平７−１６０７５９号公報（以下，「引用例２」という。）には，図面とともに，次の事項が記載されている。
　（ａ）「【課題を解決するための手段】本発明によるプリント板設計用部品ライブラリ作成装置は，部品の物理形状をひな型部品情報として登録する登録手段と，登録された前記ひな型部品情報の中から一つを外部指示に応じて選択する選択手段と，選択された前記ひな型部品情報を表示する表示手段と，外部入力データに応じて前記ひな型部品情報の各部を伸縮する伸縮手段と，各部が伸縮されたひな型部品情報を示す部品情報に少なくとも当該部品の部品名及び物理ピンと論理ピンとの対応を示す情報を付加する付加手段とを備えている。」（引用例２の３頁３欄４〜１３行）
　（ｂ）「【００１６】図１は本発明の一実施例の構成を示すブロック図である。図において，部品形状選択部１は予め登録されたひな型の部品形状及びパラメトリック図形入力部２から新規に登録されたひな型の部品形状の中から一つを，外部からの操作者の指示に従って選択する。
【００１７】パラメトリック図形入力部２は操作者の操作によって指示された部品形状を，パラメータ入力可能な状態，つまり部品各部の寸法を可変可能な状態でひな型の部品形状として図示せぬ記憶部に登録する。
【００１８】基本部品形状表示部３は部品形状選択部１で選択された既登録または新規登録のパラメータ入力可能なひな型の部品形状を，外部からの操作者の指示に応じて図示せぬ表示部に画面表示する。
【００１９】パラメータ入力促進部４は基本部品形状表示部３によって表示部に画面表示されたパラメータ入力可能なひな型の部品形状の各部のパラメータを，操作者に対して数値入力するよう促す情報を表示部に表示する。
【００２０】図形自動伸縮部５はパラメータ入力促進部４が表示部に表示した情報にしたがって操作者が数値入力を行ったときに，入力された数値に応じてひな型の部品形状の各部を自動的に伸縮する。
【００２１】合成部品形状表示部６は最終的に設定完了した部品の外形形状と，部品上にシルク印刷するための元データを示すシルク情報と，パッドの形状やその位置関係を示すパッド情報とを合成して表示部に表示する。
【００２２】部品情報付加部７は対象部品のピン番号等の対応をとるために，その対象部品の物理情報と論理情報とを上記の部品の外形形状とシルク情報とパッド情報とからなる設定完了した部品情報に付加する。
【００２３】制御部８は上記の部品形状選択部１と，パラメトリック図形入力部２と，基本部品形状表示部３と，パラメータ入力促進部４と，図形自動伸縮部５と，合成部品形状表示部６と，部品情報付加部７とを夫々制御する。」（引用例２の３頁３欄４９行〜同頁４欄３３行）
　（ｃ）「【００２５】まず，部品形状選択部１は予め登録されたひな型の部品形状の一覧を示す選択画面を表示部に表示する（図２ステップ１１）。上記の「ＳＯＰ」のひな型の部品形状が登録されていれば（図２ステップ１２），操作者の操作によってそのひな型の部品形状が選択される（図２ステップ１４）。
【００２６】また，選択画面に上記の「ＳＯＰ」のひな型の部品形状が表示されなければ，「ＳＯＰ」のひな型の部品形状がまだ登録されていないので（図２ステップ１２），パラメトリック図形入力部２を用いて「ＳＯＰ」のひな型の部品形状を登録することになる（図２ステップ１３）。
【００２７】この場合，「ＳＯＰ」のひな型の部品形状としては，その部品の外形形状と，部品上にシルク印刷するための元データを示すシルク情報と，パッドの形状やその位置関係を示すパッド情報とが夫々登録されることとなる。
【００２８】また，これら部品の外形形状とシルク情報とパッド情報とは図形入力によって行われるが，その図形入力は簡易的に行うことができ，各辺や円弧等の寸法は後で各部品の実寸に応じて入力可能なようにパラメータ設定される。
【００２９】操作者の操作によって既登録または新規登録の「ＳＯＰ」のひな型の部品形状が選択されると（図２ステップ１４），そのひな型の部品形状が基本部品形状表示部３によって表示部に表示される（図２ステップ１５）。
【００３０】その後，制御部８を介してパラメータ入力促進部４によってパラメータ設定部分に数値入力を行うよう操作者を促し，操作者が外部から実寸値をすべて入力して各パラメータを設定することとなる（図２ステップ１６〜１８）。
【００３１】パラメータ設定部分への全てのデータ入力が終了すると，図形自動伸縮部５で入力された実寸値に応じた図形の自動伸縮が行われる（図２ステップ１９）。その自動伸縮した結果を確認できるように，合成部品形状表示部６は部品の外形形状とシルク情報とパッド情報とそれらの合成図を表示部に画面表示する（図２ステップ２０）。
【００３２】ここで，作成図形に誤りがあるか否かがチェックされ（図２ステップ２１），誤りがあればその誤り部分の修正のためにパラメータ入力促進部４の処理に戻って再入力が行われる（図２ステップ１７〜２１）。
【００３３】上記の処理によって正しい部品形状の作成が終了すると，最後に部品情報付加部７によって表形式での部品の物理情報及び論理情報の追加や修正等の編集が対話的に行われ，対象部品の部品ライブラリ作成が完了する（図２ステップ２２，２３）。
【００３４】図３は図１の部品形状選択部１による部品形状選択画面を示す図である。図において，部品形状選択画面にはＤＩＰ（Ｄｕａｌ Ｉｎｌｉｎｅ Ｐａｃｋａｇｅ）やＳＯＰ，及びＱＦＰ（Ｑｕａｄ Ｆｌａｔ Ｐａｃｋａｇｅ）等の登録されたひな型の部品形状と，登録済みの部品の形状名「ＳＯＰ１４」とが表示される。」（引用例２の３頁４欄４０行〜４頁５欄４４行）
　（ｄ）「【００３８】このように，基本的な部品形状をパラメータ入力可能な状態でひな型として予め登録しておき，新規に部品作成を行うときにそれに類する部品を基本部品として読出し，パラメータ入力促進部４によってパラメータ設定部分に実際の数値入力に促すとともに，最終的に入力された数値を基に図形自動伸縮部５で自動的に図形の自動伸縮を行うことによって，操作者の入力ミスを防止して作画工数を削減することができ，部品ライブラリの作成効率及び品質の向上を図ることができる。
【００３９】
【発明の効果】以上説明したように本発明のプリント板設計用部品ライブラリ作成装置によれば，部品の物理形状をひな型部品情報として登録しておき，登録されたひな型部品情報の中から一つを外部指示に応じて選択して表示し，このひな型部品情報の各部を外部入力データに応じて伸縮するとともに，伸縮されたひな型部品情報を示す部品情報に少なくとも当該部品の部品名及び物理ピンと論理ピンとの対応を示す情報を付加することによって，操作者の入力ミスを防止して作画工数を削減することができ，部品ライブラリの作成効率及び品質の向上を図ることができるという効果がある。」（引用例２の４頁６欄１５〜３５行）
　
　これらの記載によれば，引用例２には，
「部品の物理形状をひな型部品情報として登録しておき，部品形状選択部１は予め登録されたひな型の部品形状の一覧を示す選択画面を表示部に表示し，操作者の操作によって登録されたひな形部品情報の中から一つを外部指示に応じて選択して表示し，パラメータ入力促進部４によってパラメータ設定部分に実際の数値入力に促すとともに，操作者が外部から実寸法を全て入力して各パラメータを設定すると，最終的に入力された数値を基に図形自動伸縮部５で自動的に図形の自動伸縮を行い，対象部品の部品ライブラリ作成が完成すると，部品の形状名で登録することによって，操作者の入力ミスを防止して作画工数を削減することができ，部品ライブラリの作成効率及び品質の向上を図ることができるプリント板設計用部品ライブラリ作成装置。」
との発明が開示されていると認めることができる。
　
（３）対比
　そこで，本願発明と引用例１に記載された発明を対比すると，
　引用例１発明のものには，部品を構成する詳細部品の位置または大きさに関する属性データを入力させる属性入力手段については明記されてないが，引用例１のライブラリ１１には，それぞれの部品の部品情報が格納されているから，これらの部品情報を入力させるための入力手段が当然設けられているものと認められるが，一応相違点として下記であげておく，
　引用例１のライブラリ１１は部品情報を格納しているので以下の相違点を除いて本願発明の「部品情報記憶部」に相当し，
　引用例１の「部品情報表示手段３，デイスプレイ２１」は，部品情報表示手段３が，部品一覧フアイル１２を読み込み部品情報を全て格納したメモリテ−ブルの内容をデイスプレイ２１等の出力装置に表示し，ユ−ザ−にどのような部品があるかを通知するものであるから，本願発明の「一覧表示手段」に相当し，
　引用例１の「部品情報選択手段４」は，部品情報表示手段３により表示した部品のうち流用したい部品の指示，あるいは部品情報の修正終了に関する指示をキ−入力装置２２などの入力装置により内部変数にとりこむものであるから，本願発明の「一覧表示手段が表示した各部品の属性データの何れかが選択」に相当し，引用例１の「部品情報修正手段６」は，部品情報選択手段４によりセツトされた内部変数が示す部品に対して，部品情報の修正すべき項目と新しい項目内容をキ−入力装置２２などの入力装置により決定し，メモリテ−ブルの内容を更新するので，本願発明の「属性情報の変更入力を行わせる」に相当するから，引用例１の「部品情報選択手段４」，「部品情報修正手段６」は，下記の相違点を除いて本願発明の「変更入力手段」に相当し，
　引用例１の「新部品情報生成手段７」は，ユ−ザ−の使用するライブラリ１１に新しい部品を登録するための新部品登録フアイル１３を出力するので，下記の相違点を除いて本願発明の「変更手段」に相当し，
　なお，引用例１に記載された発明は方式として表現されているが，これをシステムとして表現し得ることは自明であって，単なる表現上の問題にすぎないから，
両者は
「部品の属性データを入力させる属性入力手段と，
　前記属性入力手段で入力された属性データとを記憶する部品情報記憶部と，
　前記部品情報記憶部に記憶された各部品の属性データ一覧を表示する一覧表示手段と，
　前記一覧表示手段が表示した各部品の属性データの何れかが選択されると，該属性情報の変更入力を行わせる変更入力手段と，
　前記変更入力手段に入力された属性データに基づき，前記部品情報記憶部に記憶されている該当部品の属性情報の記憶を行う変更手段と，
を備えたことを特徴とするシステム。」
で一致し，次の点で相違する。
　
（相違点）
（相違点１）
　本願発明が，ベクトルデータで定義される図形を部品の図形として使用するＣＡＤシステムであるのに対して，引用例１発明のものは，「部品ライブラリ流用設計方式」であり，引用例１発明自体が「ＣＡＤシステム」であることが明記されていない点。
（相違点２）
　本願発明は，部品を構成する詳細部品の位置または大きさに関する属性データを入力させる属性入力手段を備えているのに対して，引用例１発明のものには，属性入力手段については明記されてない点。
（相違点３）
　本願発明が，入力された属性データに基づいて，部品のベクトルデータを生成する生成手段を備えているのに対して，引用例１発明のものには，そのような手段が明記されていない点。
（相違点４）
　部品情報記憶部が，本願発明では，生成手段で生成された部品の図形を定義したベクトルデータと，前記属性入力手段で入力された属性データとを記憶するのに対して，引用例１発明では，ベクトルデータについては記載されていない点。
（相違点５）
　変更入力手段が，本願発明では，一覧表示手段が表示した各部品の属性データの何れかが選択されると，該当する属性データ項目の変更画面を表示させ，該属性情報の変更入力を行わせるのに対して，引用例１発明では，該当する属性データ項目の変更画面を表示することは記載されていない点。
（相違点６）
　変更手段について，本願発明では，変更入力手段に入力された属性データに基づき，部品のベクトルデータを生成すると共に，前記部品情報記憶部に記憶されている該当部品のベクトルデータ及び属性情報の記憶を行うのに対して，引用例１のものは，ベクトルデータを生成すること，該当部品のベクトルデータ及び属性情報を記憶をすることについては記載されていない点。
　
（４）当審の判断
　上記相違点について検討すると，
（相違点１〜４，６）について
　引用例１発明のものには，段落【０００２】【従来の技術】に「（例えば「Ｃ言語によるパソコンＣＡＤ−ＣＧ」工業調査会Ｓ６１．３．３０発行Ｐ１５１図形の編集）」，段落【０００８】に「ライブラリ１１は配置，配線を行うＣＡＤシステムへの入出力フアイルとなる関係からどのように部品情報が記述されているかはシステムによりまちまちである。」と記載されている。これらの記載からすると，引用例１発明はもともとＣＡＤシステムに関するものであり，引用例１発明をＣＡＤシステムに用いることは当業者が容易に考えられることであると認められる。
　ＣＡＤシステムにおいては，部品を構成する詳細部品の位置または大きさに関する属性データを入力することは当然行っていることであるから，そのための属性入力手段を備えることは当業者が容易に考えられることである。
　ＣＡＤシステムにおいて部品の形状を表示することは通常のことであり，さらに，引用例２にも示されているように，入力された属性データに基づいて，部品を表示し，それにパラメータを入力して，そのパラメータに応じて図形の自動伸縮を行うこと等が知られているところであるから，引用例１において，入力された属性データに基づいて，部品のベクトルデータを生成する生成手段を設けることは当業者が容易に考えらることである。
　ベクトルデータで定義された部品の形状を表示するために，記憶部に部品の図形を定義したベクトルデータを記憶するようにすることは，当業者が容易に考えられることである。
　ＣＡＤシステムでは，部品のベクトルデータを生成して，表示することは周知のことであるから，そのような表示を行っているものにおいて，形状の変更，属性の変更を行ったときに，それに対応して，部品のベクトルデータ及び属性情報を記憶することは当業者が容易に行えることと認められる。
（相違点５）について
　一般的に，変更をしようとするものを，別枠等に表示して，変更することは通常的に行われていることであるから，引用例１においても，一覧表示された属性データの何れかが選択され，該当する属性データ項目の変更画面を表示させて，変更入力を行うようにすることは当業者が容易に考えられることである。
　
（５）むすび
　以上のとおり，本願発明は，引用例１，２に記載された発明に基づいて当業者が容易に発明をすることができたものであるから，特許法第２９条第２項の規定により特許を受けることができない。
　よって，結論のとおり審決する。